(57)【要約】【課題】電圧制御発振器の手動調整を省略でき、生産効率が高く、施工現場での発振周波数の調整が容易なインターホン機能を備えた給湯器システムを提供する。【解決手段】周波数変調方式で音声信号を送受信するインターホン機能を備えた給湯器のリモコン装置２において、音声信号を送信するためのキャリア信号を生成する電圧制御発振器５の出力信号をマイコン４にフィードバックさせる回路を設ける。そして、フィードバックされたキャリア信号とクロック信号の周波数とをマイコン４で比較させて、電圧制御発振器５の発振周波数が所定の周波数範囲から外れないように、マイコン４が電圧制御発振器５に与える制御電圧を自動調整するように構成する。【選択図】図３
2014107858.tif 000002
【特許請求の範囲】
【請求項１】
周波数変調方式で音声信号を送受信するインターホン通信用の通話器において、
音声信号送信用のキャリア信号を生成する電圧制御発振器と、この電圧制御発振器の発振周波数を制御するための制御電圧を出力する制御部を有し、
前記制御部は、前記電圧制御発振器の発振周波数と当該制御部のクロック周波数とを比較して、前記電圧制御発振器の発振周波数が所定の周波数範囲内となるように前記制御電圧を調整する発振周波数の調整手段を備えていることを特徴とする通話器。
【請求項２】
第１の通話器と第２の通話器とが周波数変調方式で音声信号を送受信するインターホン通信装置において、
前記第１の通話器と前記第２の通話器は音声信号送信用のキャリア信号の周波数が異なる周波数に設定されるとともに、請求項１に記載された通話器で構成された第３の通話器が備えられてなり、
この第３の通話器は、その制御部が、前記第１の通話器と通話するときは、前記発振周波数の調整手段により電圧制御発振器の発振周波数を前記第２の通話器の音声信号送信用のキャリア信号の周波数に調整するとともに、前記第２の通話器と通話するときは、電圧制御発振器の発振周波数を前記第１の通話器の送信用のキャリア信号の周波数に調整する制御構成を備えていることを特徴とするインターホン通信装置。
【請求項３】
複数のリモコン装置の間でインターホン通信が可能に構成された給湯器システムにおいて、
前記リモコン装置に、インターホン通信用の通話器として請求項１に記載の通話器が備えられていることを特徴とする給湯器システム。
【発明の詳細な説明】
【技術分野】
【０００１】
この発明は通話器、インターホン通信装置および給湯器システムに関し、より詳細には、給湯器のリモコン装置に備えられるインターホン機能の通話器に関する。
【背景技術】
【０００２】
給湯器とその給湯器を操作する複数のリモコン装置で構成される給湯器システムでは、給湯器のリモコン装置同士の間で音声通話ができるように構成された（インターホン機能を備えた）ものが提供されている（たとえば、特許文献１参照）。
【０００３】
この種の給湯器システムでは、給湯器のリモコン装置は、インターホンの通話器としても機能するように構成されており、給湯器を遠隔操作するための通信線を利用して他のリモコン装置とインターホン通信を行うようになっている。具体的には、各リモコン装置には、インターホン機能に関連して、マイクロホン、スピーカ、変復調装置などが搭載されており、給湯器と接続された２芯の通信ケーブル（通信線）を介してリモコン装置同士が周波数変調方式で音声信号を送受信するように構成されている。
【０００４】
ところで、このように周波数変調方式で音声信号を送受信するリモコン装置においては、音声信号を送信するためのキャリア信号（搬送波）を生成する発振回路として、一般的に電圧制御発振器（ＶＣＯ：Voltage Controlled Oscillator）が用いられている。周知のとおり、電圧制御発振器は直流電圧で発振周波数を制御する発振回路であって、バリキャップダイオード（可変容量ダイオード）ＣｖとコイルＬのＬＣ共振によって発振を行うようになっており（図４参照）、その発振周波数はバリキャップダイオードＣｖに加える電圧によって制御するようになっている。
【先行技術文献】
【特許文献】
【０００５】
【特許文献１】特開２００９−２８７８５８号公報
【発明の概要】
【発明が解決しようとする課題】
【０００６】
しかしながら、このようにキャリア信号の生成に電圧制御発振器を用いる従来の構成には以下の問題があり、その改善が望まれていた。
【０００７】
すなわち、電圧制御発振器は、回路のバラツキなどにより、水晶発振子やセラミック発振子などに比して発振周波数の周波数精度が高くないことから、キャリア信号の発振回路として用いるには発振周波数の調整が必要となるところ、この発振周波数の調整方法としては、たとえば、図４（ａ）に示すように、バリキャップダイオードＣｖに直列に挿入した可変抵抗器Ｒｖの抵抗値を調整してバリキャップダイオードＣｖに印加される逆電圧を可変させる方法や、図４（ｂ）に示すように、コイルＬに並列に接続したトリマコンデンサＣｔなどの半固定コンデンサの容量値を調整してＬＣ回路の容量を変化させる方法などがあるが、いずれの調整方法も抵抗値や容量値をドライバなどの工具を用いて手動で調整しなければならないため、その作業が煩雑であった。ことに、給湯器のリモコン装置のように大量に生産する製品において個々のリモコン装置ごとにこの調整作業を行うことは、生産効率の低下を招いていた。
【０００８】
また、リモコン装置に搭載される電圧制御発振器は、電装基板に実装された状態でリモコン装置のケース（樹脂製の箱状のケース）内に収容・固定される（ケーシングされる）ことから、図４（ａ）（ｂ）に示すような回路を備えたリモコン装置において、ケーシング後に電圧制御発振器の発振周波数の調整を行うことは困難であり、リモコン装置の施工場所において発振周波数を調整することができなかった。そのため、たとえば、既設のリモコン装置と交換して新たなリモコン装置を設置する場合や、台所に設置されるリモコン装置（台所リモコン）と浴室に設置されるリモコン装置（ふろリモコン）とからなるタイプの給湯器システムに後付けで洗面所などに第３のリモコン装置を設置する場合などにおける新たなリモコン装置の電圧制御発振器の調整が困難となっていた。
【０００９】
本発明は、このような問題点に鑑みてなされたものであって、その目的とするところは、電圧制御発振器の手動調整を省略可能な構成を備えた通話器を提供することにより、生産効率が高く、かつ、施工現場での発振周波数の調整が容易なインターホン通信装置ならびに同インターホン通信装置を用いた給湯器システムを提供することを目的とする。
【課題を解決するための手段】
【００１０】
上記目的を達成するため、本発明の請求項１に記載の通話器は、周波数変調方式で音声信号を送受信するインターホン通信用の通話器において、音声信号送信用のキャリア信号を生成する電圧制御発振器と、この電圧制御発振器の発振周波数を制御するための制御電圧を出力する制御部を有し、上記制御部は、上記電圧制御発振器の発振周波数と当該制御部のクロック周波数とを比較して、上記電圧制御発振器の発振周波数が所定の周波数範囲内となるように上記制御電圧を調整する発振周波数の調整手段を備えていることを特徴とする。
【００１１】
すなわち、この通話器では、キャリア信号を生成する電圧制御発振器に制御電圧を与える制御部が、電圧制御発振器の発振周波数と制御部のクロック周波数とを比較して、電圧制御発振器の発振周波数が所定の周波数範囲内となるように制御電圧を自動で調整するので、手動による発振周波数の調整が不要となる。そのため、この通話器によれば、生産時における電圧制御発振器の発振周波数の調整工程を省略することができ、生産効率の高い通話器を提供することができる。
【００１２】
また、自動調整される電圧制御発振器の発振周波数の周波数範囲は、制御部の設定（ソフトウェアの設定）によって適宜変更可能となることから、たとえば、自動調整される発振周波数の周波数範囲として、特定の周波数範囲を設定したり、当該周波数範囲の変更を事後的に可能に構成したり、さらには、幾通りかの周波数範囲を選択可能にするといった構成を採用することができる。
【００１３】
本発明の請求項２に記載のインターホン通信装置は、第１の通話器と第２の通話器とが周波数変調方式で音声信号を送受信するインターホン通信装置において、上記第１の通話器と上記第２の通話器は音声信号送信用のキャリア信号の周波数が異なる周波数に設定されるとともに、請求項１に記載された通話器で構成された第３の通話器が備えられてなり、この第３の通話器は、その制御部が、上記第１の通話器と通話するときは、上記発振周波数の調整手段により電圧制御発振器の発振周波数を上記第２の通話器の音声信号送信用のキャリア信号の周波数に調整するとともに、上記第２の通話器と通話するときは、電圧制御発振器の発振周波数を上記第１の通話器の送信用のキャリア信号の周波数に調整する制御構成を備えていることを特徴とする。
【００１４】
すなわち、この請求項２のインターホン通信装置では、第３の通話器を設けるにあたり、第３の通話器に請求項１に記載の通話器を用いている。そして、この第３の通話器の制御部が、第１の通話器と通話するときは第２の通話器のキャリア信号の周波数に、また、第２の通話器と通話するときは第１の通話器のキャリア信号の周波数に、それぞれ電圧制御発振器の発振周波数を調整するようになっているので、第１の通話器と第２の通話器のキャリア信号に異なる周波数帯域を割り当てているインターホン通信装置において、第３の通話器用に更なる周波数帯域を割り当てる（設定する）必要がない。
【００１５】
本発明の請求項３に記載の給湯器システムは、複数のリモコン装置の間でインターホン通信が可能に構成された給湯器システムにおいて、上記リモコン装置に、インターホン通信用の通話器として請求項１に記載の通話器が備えられていることを特徴とする。
【００１６】
すなわち、この請求項３の給湯器システムでは、リモコン装置に搭載されるインターホン通信用の電圧制御発振器の発振周波数の調整が自動で行われるので、生産時における電圧制御発振器の発振周波数の調整工程を省略することができることに加え、電圧制御発振器を実装した電装基板をリモコン装置にケーシングした後においても電圧制御発振器の発振周波数の調整を行うことが可能となる。そのため、リモコン装置の施工後において発振周波数を調整することが可能となる。
【発明の効果】
【００１７】
本発明によれば、周波数変調方式で音声信号を送受信するインターホン通信用の通話器の制御部が、電圧制御発振器の発振周波数と制御部のクロック周波数とを比較して、電圧制御発振器の発振周波数が所定の周波数範囲内となるように制御電圧を調整するので、手動による発振周波数の調整を省略でき、生産効率の高い通話器（給湯器のリモコン装置）を提供することができる。
【００１８】
また、本発明によれば、電圧制御発振器を実装した電装基板を通話器のケースにケーシングした後においても電圧制御発振器の発振周波数の調整を行うことができるので、施工性に優れた通話器（給湯器のリモコン装置）を提供することができる。
【図面の簡単な説明】
【００１９】
【図１】本発明に係る給湯器システムの概略構成を示す説明図である。
【図２】同給湯器システムのリモコン装置においてインターホン通信用の搬送波を生成する電圧制御発振器の概略構成を示す説明図である。
【図３】同電圧制御発振器の発振周波数を調整する発振周波数の調整回路の概略構成を示す回路ブロック図である。
【図４】従来の給湯器システムのリモコン装置におけるインターホン通信用の電圧制御発振器の発振周波数を調整する回路の回路構成を示しており、図４（ａ）は可変抵抗器を用いた回路を、図４（ｂ）は半固定コンデンサを用いた回路をそれぞれ示している。
【発明を実施するための形態】
【００２０】
以下、本発明の実施形態を図面に基づいて詳細に説明する。
図１は本発明に係る通話器をリモコン装置に適用した給湯器システムの概略構成を示している。この図１に示す給湯器システムは、給湯器１と、そのリモコン装置２とで構成される給湯器システムであって、特にリモコン装置２同士の間で音声による通話が行えるインターホン機能を備えた給湯器システムを示している。
【００２１】
給湯器１は、図示しない水源から供給される水を所定の給湯設定温度まで昇温させてカランなどの給湯栓に供給する給湯機能や浴槽に温水を供給する湯張り機能などを備えた周知な構成からなる給湯装置であって、この給湯器１は、たとえば、ガス給湯器で構成される。なお、給湯器１の構成は、リモコン装置２同士のインターホン機能には直接関係しないので、ここではその詳細な説明は省略する。
【００２２】
リモコン装置２は、給湯器１を遠隔操作するための操作装置であって、図示例では、このリモコン装置２として３台のリモコン装置２ａ，２ｂ，２ｃが接続された状態を示している。ここで、リモコン装置２ａは主として台所に設置される台所リモコンを、また、リモコン装置２ｂは主として浴室に設置されるふろリモコンを示している。リモコン装置２ｃは、洗面所など、台所および浴室以外の場所に設置されるサブリモコンを示している。なお、湯張り機能を備えた給湯器システムにおいては、台所リモコン２ａとふろリモコン２ｂとが基本構成として一般的に備えられており、サブリモコン２ｃはオプション品として任意に接続されるようになっている。
【００２３】
これら各リモコン装置２は、その設置場所との関係で操作可能な事項（給湯器１に指示可能な事項）が相違するものの、操作装置としての基本的な構成は共通している。すなわち、これら各リモコン２には、いずれも図示ない操作部と、表示部と、制御部と、通信部と、電源部とを備えている。
【００２４】
操作部は、給湯器１に対する遠隔操作などを入力するための操作スイッチ群で構成さている。本実施形態のリモコン装置２においては、この操作スイッチ群にはインターホン機能で使用する操作スイッチ（たとえば、他局を呼び出すための操作スイッチなど）が含まれている。表示部は、文字や記号などを用いて給湯器１の動作状況などを表示する表示装置で構成されている。この表示装置としては、たとえば、液晶表示装置や蛍光管表示装置などが好適に用いられており、その表示内容は制御部によって制御されるようになっている。
【００２５】
制御部は、リモコン装置２の各部を制御する制御装置であって、この制御部には制御中枢としてマイコン４（図２参照）が備えられている。そして、この制御部は、マイコン４に記憶された制御プログラムに従って、上記操作部での操作を受け付けるとその操作に応じた所定の処理（たとえば、操作部において給湯器１に対する遠隔操作が行われると、当該操作に応じた制御信号を生成し、通信部を介して給湯器１に送信するなどの一連の処理）を行うように構成されている。なお、給湯器１の遠隔操作に関連して制御部が行う様々な動作はいずれも公知であるので、ここではその詳細な説明は省略する。
【００２６】
本実施形態に示すリモコン装置２では、この制御部（マイコン４）は、上述したインターホン機能に関連して、後述する通信部の電圧制御発振器５に制御電圧を与えるように構成されており（図２参照）、マイコン４は制御電圧を調整することによって電圧制御発振器５の発振周波数を調整する発振周波数の調整手段としても機能するように構成（プログラム）されている（詳細は後述する）。
【００２７】
通信部は、給湯器１および他のリモコン装置２と通信を行うための通信装置であって、この通信部は２芯の通信ケーブル（通信線）３を介して給湯器１（具体的には、給湯器１に備えられた通信接続用の端子台）と有線接続されている。そして、各リモコン装置２は給湯器１の端子台を介して給湯器１の制御部（図示せず）と制御信号の送受信を行うとともに、他のリモコン装置２の制御部との間でも制御信号の送受信が行えるように構成されている。
【００２８】
本実施形態に示すリモコン装置２では、このような制御信号のやり取りに加えて、各リモコン装置２は、それぞれ上記通信ケーブル３を利用して他のリモコン装置２との間で音声通話ができるようにインターホン機能を備えている。このインターホン機能は、リモコン装置２に備えられたマイクロホン（図示せず）を音声の入力手段として、また、リモコン装置２に備えられたスピーカ（図示せず）を音声の出力手段として用いるものであって、このインターホン機能のために各リモコン装置２の通信部には、周波数変調方式で音声信号を送受信するためのインターホン通信装置が備えられている。つまり、本実施形態に示すリモコン装置２は、インターホン通信装置の通話器として用いられるように構成されている。
【００２９】
このインターホン通信装置は、マイクロホンで電気信号に変換された音声信号で搬送波（キャリア信号）を周波数変調して通信ケーブル３に出力するとともに、通信ケーブル３を介して他のリモコン装置２から受信した被変調波を復調（検波）して音声信号を取り出し、スピーカから出力する周知の構成を備えている。
【００３０】
図２は、このインターホン通信装置において搬送波（被変調波）を生成する発振回路の概略構成を示しており、この図に示すように、リモコン装置２に備えられるインターホン通信装置では、音声信号を送信するための搬送波の生成に電圧制御発振器５を用いている。この電圧制御発振器５は、周知のとおり、直流電圧（制御電圧）で発振周波数を制御する発振回路であって、バリキャップダイオードＣｖとコイルＬの並列回路で構成されており、バリキャップダイオードＣｖにはマイコン４から制御電圧が印加されるようになっている。
【００３１】
なお、図示例では、マイコン４のＤ／Ａ出力を可変することによってバリキャップダイオードＣｖに与える制御電圧を調整するように構成した場合を示したが、マイコン４のＰＷＭ出力を制御電圧としてバリキャップダイオードＣｖに与えるように構成することも可能である。つまり、ＰＷＭ出力のパルス幅を可変することにより制御電圧を調整するように構成することも可能である。
【００３２】
そして、本実施形態のリモコン装置２では、この電圧制御発振器５の発振周波数の制御にあたり、制御部（マイコン４）は、電圧制御発振器５の発振周波数が所定の周波数範囲内に収まるように上記制御電圧を自動調整（制御）するように構成されている（つまり、上述した発振周波数の調整手段として機能するように構成されている）。
【００３３】
具体的には、本実施形態に示すリモコン装置２では、図３に示すように、電圧制御発振器５から出力される信号（キャリア信号）をバッファアンプ６，７を介してマイコン４にフィードバックさせる回路が設けられており、マイコン４は、この回路でフィードバックされたキャリア信号の周波数を測定するように構成されている。そして、マイコン４は、測定したキャリア信号の周波数があらかじめマイコン４に設定された所定の周波数範囲から外れていれば、フィードバックされるキャリア信号が所定の周波数範囲内となるように電圧制御発振器５に与える制御電圧を調整するように構成されている。
【００３４】
ここで、マイコン４におけるキャリア信号の周波数の測定は、フィードバックされるキャリア信号の周波数（換言すれば、電圧制御発振器５の発振周波数）とマイコン４のクロック信号の周波数（クロック周波数）とを比較することによって行われる。すなわち、マイコン４には、クロック信号の発生源として水晶発振子やセラミック発振子などを備えたクロック信号の発振回路８が備えられていることから、マイコン４は、このクロック信号の発振回路８で生成されるクロック信号とキャリア信号とを比較するように構成されている。
【００３５】
このように、キャリア信号の周波数の測定にあたり、マイコン４のクロック信号を用いるのは、この種のマイコン４に用いられるクロック信号の発振回路８の周波数精度は、一般的に電圧制御発振器５の周波数精度よりも高いからである。すなわち、マイコン４におけるクロック信号の発振回路８の周波数誤差は一般的に±１％以下程度と精度が高いことから、この発振回路８で生成されたクロック信号と電圧制御発振器５で生成されたキャリア信号とを比較することで、電圧制御発振器５の発振周波数を正確に測定することができ、ひいては電圧制御発振器５の発振周波数の制御を正確に行えるからである。したがって、本実施形態に示すリモコン装置２においては、クロック信号の周波数精度が高い発振回路８を備えたマイコン４が好適に使用される。
【００３６】
また、マイコン４に設定される上記所定の周波数範囲、すなわち、電圧制御発振器５の発振周波数として制御部が許容する周波数範囲は、インターホン通信装置において、音声信号の送信用に割り当てられたキャリア信号の周波数範囲に基づいて設定される。すなわち、周波数変調方式でインターホン通信を行う場合、各通話器（リモコン装置２）には、音声信号送信用に一定範囲の周波数帯域が割り当てられることから、マイコン４は、電圧制御発振器５の発振周波数がこの割り当てられた周波数帯域から外れないように制御電圧を調整するように構成されている。
【００３７】
ここで、このマイコン４に対する上記所定の周波数範囲の設定は、あらかじめマイコン４の制御プログラムにおいて固定値として設定しておくことや、数種類の周波数範囲を固定値として設定しておき、操作部の所定操作やマイコン４の制御で選択可能とすること、さらには、操作部の所定操作で任意に周波数範囲を設定変更可能とすることなど、制御プログラムの設定によって適宜設計変更することができる。
【００３８】
なお、リモコン装置２の電源部は、通信ケーブル３を介して給湯器１から電源供給を受けてリモコン装置２の各部に電力を供給する電源装置で構成されている。つまり、本実施形態に示す給湯器システムでは、各リモコン装置２は給湯器１から電源供給を受けるように構成されている。
【００３９】
次に、このように構成されたリモコン装置２を用いたインターホン通信の一例を図１を参照しつつ説明する。
【００４０】
この図１に示す給湯器システムでは、インターホン通信に関して、台所リモコン２ａには送信周波数Ｆｍを中心とした所定の周波数帯域が割り当てられ、ふろリモコン２ｂには送信周波数Ｆｓを中心とした所定の周波数帯域が割り当てられている。つまり、この図１に示す給湯器システムでは、台所リモコン２ａとふろリモコン２ｂには音声信号を送信するためのキャリア信号の周波数として異なる周波数が設定されており、これによって台所リモコン２ａとふろリモコン２ｂとが混信しないように構成されている。
【００４１】
そのため、この給湯器システムでは、台所リモコン２ａのマイコン４は、その電圧制御発振器５の発振周波数が送信周波数Ｆｍを中心とした所定の周波数範囲内となるように電圧制御発振器５に与える制御電圧を調整するように構成される。つまり、台所リモコン２ａ側のマイコン４に設定される所定の周波数範囲は、送信周波数Ｆｍを中心とした一定の周波数範囲に設定され、マイコン４は台所リモコン２ａから送信されるキャリア信号が送信周波数Ｆｍを中心とした所定の周波数範囲内となるように電圧制御発振器５を制御する。
【００４２】
一方、ふろリモコン２ｂのマイコン４は、その電圧制御発振器５の発振周波数が送信周波数Ｆｓを中心とした所定の周波数範囲内となるように電圧制御発振器５に与える制御電圧を調整するように構成される。つまり、ふろリモコン２ｂ側のマイコン４に設定される所定の周波数範囲は、送信周波数Ｆｓを中心とした一定の周波数範囲に設定され、マイコン４はふろリモコン２ｂから送信されるキャリア信号が送信周波数Ｆｓを中心とした所定の周波数範囲内となるように電圧制御発振器５を制御する。
【００４３】
これに対して、サブリモコン２ｃは、台所リモコン２ａおよびふろリモコン２ｂの双方と通話ができるように、サブリモコン２ｃの送信周波数および当該送信周波数を中心とした所定の周波数帯域が割り当てられる。ここで、サブリモコン２ｃに割り当てる送信周波数としては、台所リモコン２ａおよびふろリモコン２ｂとは周波数帯域が重ならない独自の送信周波数を割り当てることも可能であるが、本実施形態では、サブリモコン２ｃは通話先のリモコン装置２に応じて送信周波数を選択・変更するように構成されている。
【００４４】
すなわち、サブリモコン２ｃのマイコン４は、その電圧制御発振器５の発振周波数として、台所リモコン２ａの送信周波数Ｆｍを中心とした所定の周波数範囲と、ふろリモコン２ｂの送信周波数Ｆｓを中心とした所定の周波数範囲の二通りの周波数範囲の設定が可能に構成されている。そして、台所リモコン２ａと通話するときは、電圧制御発振器５の発振周波数がふろリモコン２ｂの送信周波数Ｆｓを中心とした所定の周波数範囲内となるように電圧制御発振器５に与える制御電圧を調整するする一方、ふろリモコン２ｂと通話するときは、電圧制御発振器５の発振周波数が台所リモコン２ａの送信周波数Ｆｍを中心とした所定の周波数範囲内となるように電圧制御発振器５に与える制御電圧を調整するように構成されている。なお、サブリモコン２ｃが台所リモコン２ａまたはふろリモコン２ｂのいずれと通話するかの判断は、たとえば、通話に先立ってリモコン装置２同士でやり取りする制御信号に基づいてサブリモコン２ｃのマイコン４が判定するように構成される。
【００４５】
このように、サブリモコン２ｃのマイコン４が、通話先に応じて電圧制御発振器５の発振周波数を選択・変更するように構成することにより、本実施形態に示す給湯器システムでは、台所リモコン２ａおよびふろリモコン２ｂにオプション品のサブリモコン２ｃを接続するにあたり、サブリモコン２ｃに独自の送信周波数および当該送信周波数を中心とした周波数帯域を割り当てることなく、台所リモコン２ａおよびふろリモコン２ｂとの通話ができるようになる。
【００４６】
また、このことにより、たとえば既設の給湯器システムにサブリモコン２ｃを追加接続する場合においても、既設の台所リモコン２ａおよびふろリモコン２ｂを交換することなくサブリモコン２ｃとの通話を行うことが可能になる。
【００４７】
さらに、各リモコン装置２においては、そのマイコン４が電圧制御発振器５の発振周波数を自動で調整する構成を備えることにより、その生産時における電圧制御発振器５の発振周波数の調整工程を省略することができ、リモコン装置２の生産効率を高めることができるといった効果も得られる。
【００４８】
なお、上述した実施形態は本発明の好適な実施態様を示すものであって、本発明はこれらに限定されることなく発明の範囲内で種々の設計変更が可能である。
【００４９】
たとえば、上述した実施形態では、台所リモコン２ａとふろリモコン２ｂとサブリモコン２ｃとで給湯器システムを構成した場合を示したが、インターホン機能を備えたリモコン装置２が２台以上接続される給湯器システムであれば、本発明を適用することが可能である。
【００５０】
また、上述した実施形態では、本発明に係る通話器およびインターホン通信装置を給湯器のリモコン装置に適用した場合を示したが、インターホン機能を備える機器であれば給湯器しシステム以外の機器にも本発明は適用可能である。
【符号の説明】
【００５１】
１                給湯器
２                リモコン装置
２ａ              台所リモコン（第１の通話器）
２ｂ              ふろリモコン（第２の通話器）
２ｃ              サブリモコン（第３の通話器）
３                通信ケーブル
４                マイコン（制御部）
５                電圧制御発振器
６，７            バッファアンプ
８                クロック信号の発振回路
Ｃｖ              バリキャップダイオード
Ｌ                コイル
【図１】
2014107858.tif 000003
【図２】
2014107858.tif 000004
【図３】
2014107858.tif 000005
【図４】
2014107858.tif 000006